(57)【要約】【課題】横樋から家屋の外壁面に沿って垂設された縦樋の外周面、または外壁面に沿って垂設された通水管の外周面に、有刺鉄線を備えた泥棒侵入防止装置を圧接して装着固定し、泥棒が前記縦樋、または通水管を伝ってよじ登り、階上の部屋へ侵入することができないようにする。【解決手段】縦樋、または通水管１の直径方向外周面であって、地面に立った人の手が届かない高さ位置の上・下部に、間隔を有して装着固定する、外壁面に固定するブラケットを兼ねた上・下部装着固定具２・３に、複数本の有刺鉄線４を、前記縦樋、または通水管１の長手方向外周面に平行に配設することができるように、該各有刺鉄線４の上・下部を止着手段１２により、それぞれ止着固定すると共に、該上・下部装着固定具２・３を、締付手段７を介して縦樋、または通水管１の外周面に圧接して装着固定する。【選択図】図２
2009161969.tif 000002
【特許請求の範囲】
【請求項１】
家屋の外壁面に沿って垂設された丸パイプ材より成る縦樋、または通水管の直径方向外周面であって、地面に立った人の手が届かない高さ位置の上・下部に、間隔を有して装着固定する、前記外壁面に固定するブラケットを兼ねた上・下部装着固定具に、複数本の有刺鉄線を、前記縦樋、または通水管の長手方向外周面に平行に配設することができるように、該各有刺鉄線の上・下部を止着手段により、それぞれ止着固定して形成すると共に、前記上・下部装着固定具は、前記縦樋、または通水管の外周面に沿う半円弧状の２枚の帯板を、各一端縁部において連結手段で連結すると共に、前記各帯板の各他端縁部において、該各帯板を縦樋、または通水管の外周面に圧接して装着固定する一方、前記外壁面に基端部を固定された取り付けアームの先端部を一体に固定する締付手段を設けたことを特徴とする泥棒侵入防止装置。
【請求項２】
家屋の外壁面に沿って垂設された四角形状パイプ材より成る縦樋、または通水管の直径方向外周面であって、地面に立った人の手が届かない高さ位置の上・下部に、間隔を有して装着固定する、前記外壁面に固定するブラケットを兼ねた上・下部装着固定具に、複数本の有刺鉄線を、前記縦樋、または通水管の長手方向外周面に平行に配設することができるように、該各有刺鉄線の上・下部を止着手段により、それぞれ止着固定して形成すると共に、前記上・下部装着固定具は、前記縦樋、または通水管の外周面に沿う凹状の２枚の帯板を、各一端縁部において連結手段で連結すると共に、前記各帯板の各他端縁部において、該各帯板を縦樋、または通水管の外周面に圧接して装着固定する一方、前記外壁面に基端部を固定された取り付けアームの先端部を一体に固定する締付手段を設けたことを特徴とする泥棒侵入防止装置。
【発明の詳細な説明】
【技術分野】
【０００１】
本発明は、家屋の屋根面の雨水を排水する横樋から、外壁面に沿って垂設された縦樋の外周面に、または家屋の外壁面に沿って垂設された、便所、あるいは台所の使用済み用水の排水や、水道水等の送水のための通水管の外周面に、前記縦樋、または通水菅を前記外壁面に固定するブラケットを兼ねた上・下部装着固定具に、有刺鉄線を間隔を有して複数本長手方向に平行に止着して形成された泥棒侵入防止装置を圧接して装着固定し、該有刺鉄線が障害となり、泥棒が前記縦樋、または通水管を伝ってよじ登り、階上の部屋へ侵入することができないようにした泥棒侵入防止装置に関するものである。
【背景技術】
【０００２】
昨今、泥棒が家屋に侵入する事件が数多く発生し、大きな社会問題となっており、家屋においても泥棒が家屋に侵入するのを防止するため、警報装置を取り付けたり、窓のガラスに補強フィルムを貼り付ける等、種々の方策が採られている。しかしながら、泥棒が家屋の外壁面に垂設された縦樋や通水管を伝って、よじ登り部屋に侵入するケースも多く、これら縦樋や通水管に泥棒の侵入を防止するための手段は何等講じられていないのが現状である。
【０００３】
そして、有刺鉄線を縦樋や通水管に設置して、泥棒がこれらを伝ってよじ登ることができないようにした泥棒侵入防止装置につき、過去の特許文献を遡及検索しても、１件の公報の存在をも認めることができなかった。
【発明の開示】
【発明が解決しようとする課題】
【０００４】
前記のように、従来は家屋の外壁面に沿って垂設された縦樋、または通水管には、何等泥棒の侵入を防止するための手段を備えていないため、泥棒がこれを伝ってよじ登り、階上の部屋へ侵入して盗難にあってしまうという課題があった。
【０００５】
本発明は、前記課題を解決すべくなされたものであって、家屋の外壁面に沿って垂設された縦樋、または通水管の外周面の、地面に立った人の手が届かない高さ位置に、前記縦樋、または通水菅を前記外壁面に固定するブラケットを兼ねた上・下部装着固定具に、有刺鉄線を間隔を有して複数本長手方向に平行に止着して形成された泥棒侵入防止装置を圧接して装着固定することにより、泥棒が前記有刺鉄線が障害となって、前記縦樋、または通水管を簡単にはよじ登ることができないようにして、泥棒の階上の部屋への侵入を防止することができる泥棒侵入防止装置を提供しようとするものである。
【課題を解決するための手段】
【０００６】
本発明は、家屋の外壁面に沿って垂設された丸パイプ材より成る縦樋、または通水管の直径方向外周面であって、地面に立った人の手が届かない高さ位置の上・下部に、間隔を有して装着固定する、前記外壁面に固定するブラケットを兼ねた上・下部装着固定具に、複数本の有刺鉄線を、前記縦樋、または通水管の長手方向外周面に平行に配設することができるように、該各有刺鉄線の上・下部を止着手段により、それぞれ止着固定して形成すると共に、前記上・下部装着固定具は、前記縦樋、または通水管の外周面に沿う半円弧状の２枚の帯板を、各一端縁部において連結手段で連結すると共に、前記各帯板の各他端縁部において、該各帯板を縦樋、または通水管の外周面に圧接して装着固定する一方、前記外壁面に基端部を固定された取り付けアームの先端部を一体に固定する締付手段を設けるという手段、または、
家屋の外壁面に沿って垂設された四角形状パイプ材より成る縦樋、または通水管の直径方向外周面であって、地面に立った人の手が届かない高さ位置の上・下部に、間隔を有して装着固定する、前記外壁面に固定するブラケットを兼ねた上・下部装着固定具に、複数本の有刺鉄線を、前記縦樋、または通水管の長手方向外周面に平行に配設することができるように、該各有刺鉄線の上・下部を止着手段により、それぞれ止着固定して形成すると共に、前記上・下部装着固定具は、前記縦樋、または通水管の外周面に沿う凹状の２枚の帯板を、各一端縁部において連結手段で連結すると共に、前記各帯板の各他端縁部において、該各帯板を縦樋、または通水管の外周面に圧接して装着固定する一方、前記外壁面に基端部を固定された取り付けアームの先端部を一体に固定する締付手段を設けるという手段、
を採用することにより、上記課題を解決した。
【発明の効果】
【０００７】
前記構成より成る本発明によれば、横樋から家屋の外壁面に沿って垂設された縦樋の外周面、または家屋の外壁面に沿って垂設された便所、あるいは台所の使用済み用水の排水や、水道水等の送水のための通水管の外周面であって、地面に立った人の手が届かない高さ位置に、上・下部装着固定具に有刺鉄線を止着固定して形成された泥棒侵入防止装置を圧接して装着固定することにより、泥棒は前記有刺鉄線が障害となって、前記縦樋、または通水管を簡単にはよじ登ることができず、泥棒の階上の部屋への侵入を防止することができる。また、本発明を構成する複数本の有刺鉄線が、前記縦樋、または通水管の長手方向外周面に平行に配設することができるように、該各有刺鉄線の上・下部を止着手段により上・下部装着固定具に、間隔を有して装着固定されているので、該複数本の有刺鉄線は、縦樋、または通水管の外周面に整然と配設され、更に、上・下部装着固定具は、外壁面へ縦樋、または通水管を固定するブラケットを兼ねているので、別に有刺鉄線を止着固定する専用の上・下部装着固定具を装着固定する必要がないので、外観上見苦しさがないという優れた効果を奏する。
【実施例】
【０００８】
本発明の実施例につき詳細に説明する。本発明泥棒侵入防止装置は、家屋の外壁面に沿って垂設された縦樋、または通水管の外周面に圧接して装着固定できるよう、ブラケットを兼ねた上・下部装着固定具に有刺鉄線を間隔を有して複数本長手方向に平行に止着固定して形成されている。そして、本発明泥棒侵入防止装置は、前記縦樋、または通水管の形状が、すべて丸パイプ材、または四角形状パイプ材を使用し、且つ前記各パイプ材の外径も、複数種の大きさにすべて規格化されて統一されている点に鑑みて発明されたものである。以下、本発明を図面に基づいて説明する。
【０００９】
図１は、家屋における丸パイプ材より成る縦樋、または通水管に、本発明泥棒侵入防止装置を装着固定した状態を示す全体の正面図、図２は、同要部の斜視図、図３は、本発明泥棒侵入防止装置を、縦樋、または通水管に装着固定すると共に、外壁面に固定した状態を示す側面図、図４は、本発明泥棒侵入防止装置を構成する上部（下部）装着固定具の組立分解平面図、図５は、同上部（下部）装着固定具を、縦樋、または通水管に装着固定すると共に、外壁面に固定した状態を示す横断平面図である。
【００１０】
本発明泥棒侵入防止装置は、図１に示すように、家屋Ｈの外壁面Ｗに沿って垂設された縦樋、または通水管１の直径方向外周面であって、地面に立った人の手が届かない高さ位置の上・下部に、間隔を有して装着固定する上・下部装着固定具２・３に、特に限定する必要はないが、好ましくは、１メートル程度の長さを有する複数本の有刺鉄線４を、前記縦樋、または通水管１の長手方向外周面に平行に配設することができるように、該各有刺鉄線４の上・下部をそれぞれ止着固定して形成されている。なお、特に限定する必要はないが、好ましくは、前記上・下部装着固定具２・３および有刺鉄線４は、雨水に当たっても錆びることもなく、また強度的にも優れているステンレス製とすることが推奨される。
【００１１】
そして、前記上・下部装着固定具２・３は、前記縦樋、または通水管１の外周面に装着固定されると共に、該縦樋、または通水管１を外壁面Ｗに固定するためのブラケットの役目をも兼ねている。なお、図１中のＢは、前記縦樋、または通水管１を、外壁面Ｗに固定するためのみに、従来から使用されているブラケットである。
【００１２】
すなわち、前記ブラケットを兼ねる上・下部装着固定具２・３は、それぞれ同一構成より成り、丸パイプ材より成る縦樋、または通水管１の直径方向外周面に圧接して装着固定できるように、前記縦樋または通水管１を２分割したような、半円弧状をなす２枚の帯板５を、各一端縁部において連結手段６で連結する一方、前記各帯板５の各他端縁部において、該各帯板５を縦樋１の外周面に圧接して装着固定すると共に、外壁面Ｗに基端部を固定された取り付けアーム7の先端部を締め付けて固定する締付手段８を設けて形成されている。
【００１３】
前記連結手段６は、前記半円弧状の各帯板５の各一端縁部を連結できるような構成を備えておればよく、その構成を特に限定する必要はないが、好ましくは図２〜５に示すように、蝶番６ａを使用することが推奨される。これにより、図４に示すように、各帯板５は蝶番６ａによって開閉自在となり、上・下部装着固定具２・３を、前記縦樋または通水管１の外周面に装着し易くなる（図４参照）。
【００１４】
また、前記締付手段８は、前記各帯板５を縦樋、または通水管１の外周面に圧接して装着固定すると共に、前記外壁面Ｗに基端部を固定された取り付けアーム7の先端部を締め付けて固定できるような構成を備えておればよく、その構成を特に限定する必要はないが、好ましくは図３〜図５に示すような構成とすることが推奨される。
【００１５】
すなわち、図３〜図５に示すように、締付手段８は、前記各帯板５の他端縁部をそれぞれ外方向へ折曲して直線状の突出片９を設けて、該各突出片９に間隔を有して透孔１０・１１をそれぞれ穿設する一方、該各突出片９間に、前記取り付けアーム7の先方部を挟着すると共に、該取り付けアーム7の先方部に、前記透孔１０・１１と同一間隔で穿設された取り付け孔１２・１３を、該前記透孔１０・１１に合致させて、該各前記透孔１０・１１と前記取り付け孔１２・１３に締付けボルト１４を貫挿すると共に、該締付けボルト１４の先端にナット１５を螺挿し、該ナット１５を締付けて行くことにより、前記各帯板５は縦樋、または通水管１の外周面に圧接して装着固定でき、且つ外壁面Ｗにも一体に固定できるよう形成されている。
【００１６】
前記構成より成る上・下部装着固定具２・３間には、適宜長さの有刺鉄線４が、複数本間隔を有して平行に、止着手段１６を介して止着固定される。そして、前記上・下部装固定具２・３間へ有刺鉄線４を止着固定する止着手段１６の構成は任意であり、特に限定する必要はないが、好ましくは、図２〜図５に示すような止着手段１６とすることが推奨される。
【００１７】
すなわち、止着手段１６は、前記上・下部装着固定具２・３を構成する各帯板５の外周面に適宜間隔を有して、有刺鉄線４の端縁部を貫通して止着する止着孔１７を備えた止着突起１８を複数個突設固定して形成されている。
【００１８】
そして、前記止着手段１６を備えた上・下部装着固定具２・３間において、該上・下部装着固定具２・３の各対面する各止着突起１８の止着孔１７に、各有刺鉄線４の両端部を貫挿して、該有刺鉄線４の前記貫挿した端部４ａを１８０度折曲すると共に、該折曲した端部４ａを有刺鉄線４の端部に巻回固定して、複数本の有刺鉄線４を、間隔を有して平行に前記上・下部装着固定具２・３間に止着固定して、泥棒侵入防止装置Ａを形成する。
【００１９】
前記構成より成る本発明泥棒侵入防止装置Ａは、家屋の外壁面に沿って垂設された縦樋、または通水管１の直径方向外周面であって、地面に立った人の手が届かない位置に、上・下部装着固定具２・３を圧接して装着固定すると共に、外壁面Ｗに固定することにより、複数本の有刺鉄線４が、前記縦樋、または通水管１の外周面に配設して固定される。
【００２０】
前記図１〜図５においては、縦樋、または通水管１が、丸パイプ材で形成されている場合について説明したが、縦樋、または通水管が、四角形状パイプ材で形成されている場合であっても、図６〜図９に示すように、本発明泥棒侵入防止装置Ａに採用できる。なお、図６〜図９においては、前記図１〜図５と共通する符号はそのまま使用して説明する。
【００２１】
すなわち、図６〜図９に示すように、四角形状パイプ材で形成された縦樋、または通水管２１の直径方向外周面に圧接して装着固定できるように、上・下部装着固定具２２・２３を構成する各帯板２５の形状が、前記縦樋、または通水管２１を２分割したような、凹状をなすよう形成され、更に該各帯板２５の各一端縁部において、前記各帯板２５を連結手段２６を介して連結できるようにすると共に、前記各帯板２５の各他端縁部において、該各帯板２５を縦樋、または通水管２１の外周面に圧接して装着固定する、前記図３〜図５に示すものと同一構成の締付手段８が設けられている。
【００２２】
前記四角形状パイプ材で形成された縦樋、または通水管２１の外周面に、上・下部装着固定具２２・２３を装着固定する場合、前記図２〜図５の丸パイプ材より成る縦樋、または通水管１の場合と異なり、各縦樋、または通水管２１の外周面の各一端縁部を連結手段２６で連結したままでは、四角形状パイプ材より成る縦樋、または通水管２１に装着するのは困難であるので、図７〜図８に示すように、凹状をなす各帯板２５を、縦樋、または通水管２１の外周面両側より挟み込むようにして、該各帯板２５を縦樋、または通水管２１の外周面に装着した後、前記各帯板２５の各一端縁部を連結手段２６で連結する必要がある。
【００２３】
そして、前記連結手段２６は、凹状をなす各帯板２５の各一端縁部を連結できるような構成を備えておればよく、その構成は特に限定する必要はないが、好ましくは、図８に示すように、記各帯板２５の各一端縁部にボルト２７を挿入することができる挿入孔２８を設けた複数個の舌片２９を交互に対向して間隔を有して突設し、且つ該各舌片２９を互いに摺接することにより、直線状に連続して貫通された挿入孔２８に、前記ボルト２７を貫挿すると共に、該ボルト２７の先端にナット３０を螺挿して一体に固着するという構成とすることが推奨される。
【００２４】
そして、その他の構成は、前記丸パイプ材より成る縦樋、または通水管１に使用するものと同一構成であるので、説明を省略する。また、その作用および効果も、前記丸パイプ材より成る縦樋、または通水管１に使用するものと同一であるので、
説明を省略する。
【図面の簡単な説明】
【００２５】
【図１】丸パイプ材より成る縦樋、または通水管に本発明泥棒侵入防止装置を装着固定した状態を示す全体の正面図である。
【図２】同要部の斜視図である。
【図３】丸パイプ材より成る縦樋、または通水管に本発明泥棒侵入防止装置を丸パイプ材より成る縦樋、または通水管に装着固定すると共に、外壁面に固定した状態を示す要部の側面図である。
【図４】丸パイプ材より成る縦樋、または通水管に装着固定する泥棒侵入防止装置を構成する上部（下部）装着固定具の組立分解平面図である。
【図５】同上部（下部）装着固定具を、縦樋、または通水管に装着固定すると共に、外壁面に固定した状態を示す横断平面図である。
【図６】四角形状パイプ材より成る縦樋、または通水管に本発明泥棒侵入防止装置を装着固定した状態を示す要部の斜視図である。
【図７】四角形状パイプ材より成る縦樋、または通水管に泥棒侵入防止装置を構成する上部（下部）装着固定具を装着する状態を示す横断面図である。
【図８】四角形状パイプ材より成る縦樋、または通水管に泥棒侵入防止装置を構成する上部（下部）装着固定具における連結手段を分解して示す要部の側面図である。
【図９】同上部（下部）装着固定具を、縦樋、または通水管に装着固定すると共に、外壁面に固定した状態を示す横断平面図である。
【符号の説明】
【００２６】
１  丸パイプ材より成る縦樋、または通水管
２  上部装着固定具
３  下部装着固定具
４  有刺鉄線
５  半円弧状の帯板
６  連結手段
７  取り付けアーム
８ 締付手段
１６  止着手段
２１  四角形状パイプ材より成る縦樋、または通水管
２２  上部装着固定具
２３  下部装着固定具
２５  凹状の帯板
２６  連結手段
【図１】
2009161969.tif 000003
【図２】
2009161969.tif 000004
【図３】
2009161969.tif 000005
【図４】
2009161969.tif 000006
【図５】
2009161969.tif 000007
【図６】
2009161969.tif 000008
【図７】
2009161969.tif 000009
【図８】
2009161969.tif 000010
【図９】
2009161969.tif 000011